(57)【要約】【課題】回路規模の縮小が可能な検出回路を提供すること。【解決手段】バッテリ検出回路３４は抵抗Ｒ１の両端子の電圧が入力される電流増幅器４１と、抵抗Ｒ２の両端子の電圧が入力される電流増幅器４２とを有する。電流増幅器４１は、抵抗Ｒ１に流れる電流Ｉout を検出して電流検出信号Ｓ１を出力し、電流増幅器４２は、抵抗Ｒ２に流れる充電電流Ｉchg を検出して充電電流検出信号Ｓ２を出力する。エラー増幅器４３は、第１の反転入力端子に電流検出信号Ｓ１が入力され、第２の反転入力端子に充電電流検出信号Ｓ２が入力される。エラー増幅器４３の非反転入力端子には電流基準信号ＩOUTM及び制限電流信号ＩDAC に基づく基準信号が入力されている。エラー増幅器４３は、電流検出信号Ｓ１と充電電流検出信号Ｓ２のうちのいずれか高い方と基準信号とを比較し、その比較結果に応じた誤差電圧を発生する。【選択図】図２
2008206225.tif 000002
【特許請求の範囲】
【請求項１】
複数の抵抗の両端子電圧がそれぞれ入力され抵抗に流れる電流に応じた信号を出力する複数の電流増幅器と、
前記複数の電流増幅器の出力信号と、前記複数の抵抗に流れる電流に対応してそれぞれ設定された複数の基準信号とに基づいて、対応する出力信号と基準信号との差に応じた信号を出力する誤差増幅器と、
を備えたことを特徴とする検出回路。
【請求項２】
外部電源から供給される直流の電源電圧に基づいて動作する電子機器に設けられ、前記外部電源から供給される入力電流と二次電池に対する充電電流とを検出し、前記入力電流と前記充電電流のそれぞれに対応して設定された基準値と前記入力電流及び前記充電電流との差に応じた制御電流を生成する検出回路であって、
前記入力電流を検出した第１の検出信号を出力する電流増幅器と、
前記充電電流を検出した第２の検出信号を出力する電流増幅器と、
前記第１及び第２の検出信号が入力され、前記入力電流と前記充電電流とに応じて設定された基準信号と、前記第１及び第２の検出信号のうちの何れか一方の信号との差に応じた誤差信号を出力する誤差増幅器と、
を備えたことを特徴とする検出回路。
【請求項３】
第１の抵抗の両端子電圧が入力され、該第１の抵抗に流れる電流に応じた第１の検出信号を出力する第１の電流増幅器と、
第２の抵抗の両端子電圧が入力され、該第２の抵抗に流れる電流に応じた第２の検出信号を出力する第２の電流増幅器と、
前記第１の抵抗に流れる電流と前記第２の抵抗に流れる電流のそれぞれに対応して設定された第１及び第２の基準信号が入力され、該第１及び第２の基準信号の相対的な差を持つ第１及び第２の差信号を出力する減算器と、
前記第１の検出信号と前記第１及び第２の差信号とを演算した結果を持つ信号を出力する演算器と、
前記演算器の出力信号と前記第２の検出信号とが入力されるとともに前記第１の基準信号又は前記第２の基準信号が入力され、前記第１の基準信号又は前記第２の基準信号と、前記出力信号と前記第２の検出信号の何れか一つとの差に応じた信号を出力する誤差増幅器と、
を備えたことを特徴とする検出回路。
【請求項４】
前記第１の電流増幅器から出力される第１の検出信号をレベル変換して前記演算器に出力する第１のレベルシフト回路と、前記第１及び第２の基準信号のそれぞれをレベル変換して前記減算器に出力する第２及び第３のレベルシフト回路とを備え、
前記レベルシフト回路は、それぞれの出力信号が、前記第２の検出信号の変動範囲内となるようにレベル変換するように設定されてなる、
ことを特徴とする請求項３記載の検出回路。
【請求項５】
前記誤差増幅器は、
基準信号が入力される１つの端子と、前記基準信号と比較する複数の信号がそれぞれ入力される複数の端子と、
前記複数の信号のうちの電圧が最も低い信号と、前記基準信号との差に応じた誤差電圧を出力する誤差増幅回路と、
前記複数の信号のオフセットに応じたバイアス電流を生成するバイアス回路と、
を備え、
前記バイアス電流により前記誤差増幅器における前記複数の信号を補正する、
ことを特徴とする請求項１乃至４のうちの何れか一項に記載の検出回路。
【請求項６】
前記誤差増幅回路は、
一対のトランジスタを備えた差動増幅部と、
前記複数の信号が制御端子にそれぞれ供給され、前記一対のトランジスタのうちの１つに接続された複数のトランジスタと、
前記基準信号が制御端子に供給され前記一対のトランジスタのうちの１つに接続されたトランジスタと、
前記バイアス電流を前記複数のトランジスタに供給するトランジスタと、
を備えたことを特徴とする請求項５記載の検出回路。
【請求項７】
直流の出力電圧を生成する外部電源と、前記外部電源の出力電圧に基づいて動作する電子機器とからなる電源システムにおいて、
前記外部電源は、直流の出力電圧を生成するとともに制御電流に応じて前記出力電圧を変更する電圧制御回路を備え、
前記電子機器は、二次電池と、前記外部電源の出力電圧と前記二次電池の出力電圧との少なくとも一方の電圧に基づいて動作するシステム回路と、前記外部電源の出力電流と前記二次電池の出力電圧と前記外部電源の出力電流と前記二次電池に対する充電電流のうちの少なくとも２つと、検出対象に応じた基準信号との差に応じた誤差信号を生成し、複数の誤差信号のうちの１つに基づいて前記制御電流を発生させる検出回路と、を備え、
前記検出回路は、前記外部電源の出力電流と前記二次電池の出力電圧と前記外部電源の出力電流と前記二次電池に対する充電電流のうちの少なくとも２つと、基準信号との差に応じた誤差信号を生成する誤差増幅器を備え、該誤差信号に基づいて前記制御電流を発生させる、
ことを特徴とする電源システム。
【請求項８】
直流の出力電圧を生成する外部電源と、前記外部電源の出力電圧に基づいて動作する電子機器とからなる電源システムにおいて、
前記外部電源は、直流の出力電圧を生成するとともに制御電流に応じて前記出力電圧を変更する電圧制御回路を備え、
前記電子機器は、二次電池と、前記外部電源の出力電圧と前記二次電池の出力電圧との少なくとも一方の電圧に基づいて動作するシステム回路と、前記制御電流を発生させる検出回路と、を備え、
前記検出回路は、
前記外部電源の出力電流が流れる第１の抵抗の両端子電圧が入力され、該出力電流に応じた第１の検出信号を出力する第１の電流増幅器と、
前記二次電池に対する充電電流が流れる第２の抵抗の両端子電圧が入力され、該充電電流に応じた第２の検出信号を出力する第２の電流増幅器と、
前記出力電流と前記充電電流のそれぞれに対応して設定された第１及び第２の基準信号が入力され、該第１及び第２の基準信号の相対的な差を持つ第１及び第２の差信号を出力する減算器と、
前記第１の検出信号と前記第１及び第２の差信号とを演算した結果を持つ信号を出力する演算器と、
前記演算器の出力信号と前記第２の検出信号とが入力されるとともに前記第１の基準信号又は前記第２の基準信号が入力され、前記第１の基準信号又は前記第２の基準信号と、前記出力信号と前記第２の検出信号の何れか一つとの差に応じた信号を出力する誤差増幅器と、
を備え、前記誤差増幅器の出力信号に基づいて前記制御電流を発生させる、
ことを特徴とする電源システム。
【請求項９】
前記検出回路は、
前記第１の電流増幅器から出力される第１の検出信号をレベル変換して前記演算器に出力する第１のレベルシフト回路と、前記第１及び第２の基準信号のそれぞれをレベル変換して前記減算器に出力する第２及び第３のレベルシフト回路とを備え、
前記レベルシフト回路は、それぞれの出力信号が、前記第２の検出信号の変動範囲内となるようにレベル変換するように設定されてなる、
ことを特徴とする請求項８記載の電源システム。
【請求項１０】
前記誤差増幅器は、
基準信号が入力される１つの端子と、前記基準信号と比較する複数の信号がそれぞれ入力される複数の端子と、
前記複数の信号のうちの電圧が最も低い信号と、前記基準信号との差に応じた誤差電圧を出力する誤差増幅回路と、
前記複数の信号のオフセットに応じたバイアス電流を生成するバイアス回路と、
を備え、
前記バイアス電流により前記誤差増幅器における前記複数の信号を補正する、
ことを特徴とする請求項７乃至９のうちの何れか一項に記載の電源システム。
【発明の詳細な説明】
【技術分野】
【０００１】
本発明は、検出回路及び電源システムに関するものである。
一般にノート型パソコン等の携帯型電子機器は、搭載されたバッテリ、又は接続されたＡＣアダプタ等の外部電源により動作する。そして、電子機器に搭載されたバッテリは、外部電源が接続されている時に、該外部電源から供給される充電電流により充電される。そして、携帯型電子機器の小型化にともない、検出回路及び電源システム規模縮小が求められている。
【背景技術】
【０００２】
従来、電子機器には駆動電源として二次電池が搭載されているものがあり、このような電子機器には、外部電力源から供給される充電電流により二次電池を充電する充電回路が備えられている（例えば、特許文献１参照）。充電回路の動作例を図６に従って説明する。
【０００３】
電子機器に搭載された充電回路１１には、該電子機器に接続された入力電力アダプタ１２から直流のアダプタ電圧ＶACが供給されている。充電回路１１はＤＣ／ＤＣコンバータであり、アダプタ電圧ＶACを電圧変換した電圧Ｖout を出力するとともに、出力電流Ｉout 等に基づいて、電圧Ｖout を制御する。詳しくは、充電回路１１は、出力電流Ｉout を検出するための抵抗Ｒ１の両端が接続された電流増幅器１３ａと、バッテリＢＴに供給する電流Ｉchg を検出するための抵抗Ｒ２の両端が接続された電流増幅器１３ｂとを備えている。各電流増幅器１３ａ，１３ｂの出力端子はそれぞれエラー増幅器１４ａ，１４ｂに接続されている。また、バッテリＢＴの端子電圧はエラー増幅器１４ｃに入力され、抵抗Ｒ１の両端子電圧は乗算器１５に入力され、その乗算器１５はエラー増幅器１４ｄに接続されている。そして、抵抗Ｒ１に流れる出力電流Ｉout と、バッテリＢＴに接続された抵抗Ｒ２に流れる充電電流Ｉchg と、バッテリＢＴの端子電圧とに基づいて、エラー増幅器１４ａ〜１４ｄにより制御電流Ｉscが流れ、その制御電流Ｉscに基づいてパルス幅変調器（ＰＷＭ）１７はＭＯＳトランジスタＴ１，Ｔ２をオンオフするデューティサイクルを変更する。そのデューティサイクルに応じた出力電力がシステムＤＣ／ＤＣコンバータ１８を介してシステム回路１９に供給され、かつ、同時に、出力電流によりバッテリＢＴが充電される。
【特許文献１】特許第３４２８９５５号公報
【発明の開示】
【発明が解決しようとする課題】
【０００４】
ところで、携帯型電子機器の小型化にともない、充電回路の回路規模の縮小が求められている。しかしながら、上記の従来回路では、出力電圧Ｖout を制御するための検出対象（出力電流等）毎にエラー増幅器が必要である。そして、各エラー増幅器の出力端子には、位相補償のための電子部品を、充電回路のチップに対して外付けしなければならない。このため、エラー増幅器が多いと、チップにおける外部端子が多くなり、チップ面積の縮小に対する阻害要因となる。
【０００５】
本発明は上記問題点を解決するためになされたものであって、その目的は、回路規模の縮小が可能な検出回路及び電源システムを提供することにある。
【課題を解決するための手段】
【０００６】
上記目的を達成するため、請求項１に記載の発明は、複数の抵抗の両端子電圧がそれぞれ入力され抵抗に流れる電流に応じた信号を出力する複数の電流増幅器と、前記複数の電流増幅器の出力信号と、前記複数の抵抗に流れる電流に対応してそれぞれ設定された複数の基準信号とに基づいて、対応する出力信号と基準信号との差に応じた信号を出力する誤差増幅器と、を備えた。
【０００７】
この構成によれば、複数の電流増幅器に対してそれぞれ誤差増幅器を備える構成と比べ、１つの誤差増幅器により複数の電流増幅器の出力信号と基準信号との差に応じた信号を出力することができるため、位相補償などのために外付けされる電子部品の数が少なくなり、それにともないチップに形成する外部パッドの数が少なくできるため、回路規模の縮小が可能となる。
【０００８】
請求項２に記載の発明は、外部電源から供給される直流の電源電圧に基づいて動作する電子機器に設けられ、前記外部電源から供給される入力電流と二次電池に対する充電電流とを検出し、前記入力電流と前記充電電流のそれぞれに対応して設定された基準値と前記入力電流及び前記充電電流との差に応じた制御電流を生成する検出回路であって、前記入力電流を検出した第１の検出信号を出力する電流増幅器と、前記充電電流を検出した第２の検出信号を出力する電流増幅器と、前記第１及び第２の検出信号が入力され、前記入力電流と前記充電電流とに応じて設定された基準信号と、前記第１及び第２の検出信号のうちの何れか一方の信号との差に応じた誤差信号を出力する誤差増幅器と、を備えた。
【０００９】
この構成によれば、複数の電流増幅器に対してそれぞれ誤差増幅器を備える構成と比べ、１つの誤差増幅器により複数の電流増幅器の出力信号と基準信号との差に応じた信号を出力することができるため、位相補償などのために外付けされる電子部品の数が少なくなり、それにともないチップに形成する外部パッドの数が少なくできるため、検出回路の回路規模、ひいては電源システムの回路規模の縮小が可能となる。
【００１０】
請求項３に記載の発明は、第１の抵抗の両端子電圧が入力され、該第１の抵抗に流れる電流に応じた第１の検出信号を出力する第１の電流増幅器と、第２の抵抗の両端子電圧が入力され、該第２の抵抗に流れる電流に応じた第２の検出信号を出力する第２の電流増幅器と、前記第１の抵抗に流れる電流と前記第２の抵抗に流れる電流のそれぞれに対応して設定された第１及び第２の基準信号が入力され、該第１及び第２の基準信号の相対的な差を持つ第１及び第２の差信号を出力する減算器と、前記第１の検出信号と前記第１及び第２の差信号とを演算した結果を持つ信号を出力する演算器と、前記演算器の出力信号と前記第２の検出信号とが入力されるとともに前記第１の基準信号又は前記第２の基準信号が入力され、前記第１の基準信号又は前記第２の基準信号と、前記出力信号と前記第２の検出信号の何れか一つとの差に応じた信号を出力する誤差増幅器と、を備えた。
【００１１】
この構成によれば、２つの電流増幅器に対してそれぞれ誤差増幅器を備える構成と比べ、１つの誤差増幅器により２つの電流増幅器の出力信号と基準信号との差に応じた信号を出力することができるため、位相補償などのために外付けされる電子部品の数が少なくなり、それにともないチップに形成する外部パッドの数が少なくできるため、検出回路の回路規模、ひいては電源システムの回路規模の縮小が可能となる。
【００１２】
請求項４に記載の発明は、請求項３記載の検出回路において、前記第１の電流増幅器から出力される第１の検出信号をレベル変換して前記演算器に出力する第１のレベルシフト回路と、前記第１及び第２の基準信号のそれぞれをレベル変換して前記減算器に出力する第２及び第３のレベルシフト回路とを備え、前記レベルシフト回路は、それぞれの出力信号が、前記第２の検出信号の変動範囲内となるようにレベル変換するように設定されてなる。
【００１３】
この構成によれば、検出する電流のレベルが異なる複数の電流と、それらの電流に応じて設定された基準信号のレベルを変換することで、１つの誤差増幅器により差に応じた信号を生成することができるようになる。
【００１４】
請求項５に記載の発明は、請求項１乃至４のうちの何れか一項に記載の検出回路において、前記誤差増幅器は、基準信号が入力される１つの端子と、前記基準信号と比較する複数の信号がそれぞれ入力される複数の端子と、前記複数の信号のうちの電圧が最も低い信号と、前記基準信号との差に応じた誤差電圧を出力する誤差増幅回路と、前記複数の信号のオフセットに応じたバイアス電流を生成するバイアス回路と、を備え、前記バイアス電流により前記誤差増幅器における前記複数の信号を補正する。
【００１５】
この構成によれば、バイアス回路により生成するバイアス電流によって誤差増幅器における信号を補正することで、誤差増幅器に入力される複数の信号に発生するオフセットによる誤動作を防止することができるようになる。
【００１６】
請求項６に記載の発明は、請求項５記載の検出回路において、前記誤差増幅回路は、一対のトランジスタを備えた差動増幅部と、前記複数の信号が制御端子にそれぞれ供給され、前記一対のトランジスタのうちの１つに接続された複数のトランジスタと、前記基準信号が制御端子に供給され前記一対のトランジスタのうちの１つに接続されたトランジスタと、前記バイアス電流を前記複数のトランジスタに供給するトランジスタと、を備えた。
【００１７】
この構成によれば、バイアス回路により生成するバイアス電流によって誤差増幅器における信号を補正することで、誤差増幅器に入力される複数の信号に発生するオフセットによる誤動作を防止することができるようになる。
【００１８】
請求項７に記載の発明は、  直流の出力電圧を生成する外部電源と、前記外部電源の出力電圧に基づいて動作する電子機器とからなる電源システムにおいて、前記外部電源は、直流の出力電圧を生成するとともに制御電流に応じて前記出力電圧を変更する電圧制御回路を備え、前記電子機器は、二次電池と、前記外部電源の出力電圧と前記二次電池の出力電圧との少なくとも一方の電圧に基づいて動作するシステム回路と、前記外部電源の出力電流と前記二次電池の出力電圧と前記外部電源の出力電流と前記二次電池に対する充電電流のうちの少なくとも２つと、検出対象に応じた基準信号との差に応じた誤差信号を生成し、複数の誤差信号のうちの１つに基づいて前記制御電流を発生させる検出回路と、を備え、前記検出回路は、前記外部電源の出力電流と前記二次電池の出力電圧と前記外部電源の出力電流と前記二次電池に対する充電電流のうちの少なくとも２つと、基準信号との差に応じた誤差信号を生成する誤差増幅器を備え、該誤差信号に基づいて前記制御電流を発生させるようにした。
【００１９】
この構成によれば、複数の電流増幅器に対してそれぞれ誤差増幅器を備える構成と比べ、１つの誤差増幅器により複数の電流増幅器の出力信号と基準信号との差に応じた信号を出力することができるため、位相補償などのために外付けされる電子部品の数が少なくなり、それにともないチップに形成する外部パッドの数が少なくできるため、検出回路の回路規模、ひいては電源システムの回路規模の縮小が可能となる。
【００２０】
請求項８に記載の発明は、直流の出力電圧を生成する外部電源と、前記外部電源の出力電圧に基づいて動作する電子機器とからなる電源システムであって、前記外部電源は、直流の出力電圧を生成するとともに制御電流に応じて前記出力電圧を変更する電圧制御回路を備え、前記電子機器は、二次電池と、前記外部電源の出力電圧と前記二次電池の出力電圧との少なくとも一方の電圧に基づいて動作するシステム回路と、前記制御電流を発生させる検出回路と、を備え、前記検出回路は、前記外部電源の出力電流が流れる第１の抵抗の両端子電圧が入力され、該出力電流に応じた第１の検出信号を出力する第１の電流増幅器と、前記二次電池に対する充電電流が流れる第２の抵抗の両端子電圧が入力され、該充電電流に応じた第２の検出信号を出力する第２の電流増幅器と、前記出力電流と前記充電電流のそれぞれに対応して設定された第１及び第２の基準信号が入力され、該第１及び第２の基準信号の相対的な差を持つ第１及び第２の差信号を出力する減算器と、前記第１の検出信号と前記第１及び第２の差信号とを演算した結果を持つ信号を出力する演算器と、前記演算器の出力信号と前記第２の検出信号とが入力されるとともに前記第１の基準信号又は前記第２の基準信号が入力され、前記第１の基準信号又は前記第２の基準信号と、前記出力信号と前記第２の検出信号の何れか一つとの差に応じた信号を出力する誤差増幅器と、を備え、前記誤差増幅器の出力信号に基づいて前記制御電流を発生させるようにした。
【００２１】
この構成によれば、複数の電流増幅器に対してそれぞれ誤差増幅器を備える構成と比べ、１つの誤差増幅器により複数の電流増幅器の出力信号と基準信号との差に応じた信号を出力することができるため、位相補償などのために外付けされる電子部品の数が少なくなり、それにともないチップに形成する外部パッドの数が少なくできるため、検出回路の回路規模、ひいては電源システムの回路規模の縮小が可能となる。
【００２２】
請求項９に記載の発明は、請求項８記載の電源システムにおいて、前記検出回路は、前記第１の電流増幅器から出力される第１の検出信号をレベル変換して前記演算器に出力する第１のレベルシフト回路と、前記第１及び第２の基準信号のそれぞれをレベル変換して前記減算器に出力する第２及び第３のレベルシフト回路とを備え、前記レベルシフト回路は、それぞれの出力信号が、前記第２の検出信号の変動範囲内となるようにレベル変換するように設定されてなる。
【００２３】
この構成によれば、検出する電流のレベルが異なる複数の電流と、それらの電流に応じて設定された基準信号のレベルを変換することで、１つの誤差増幅器により差に応じた信号を生成することができるようになる。
【００２４】
請求項１０に記載の発明は、請求項７乃至９のうちの何れか一項に記載の電源システムにおいて、前記誤差増幅器は、基準信号が入力される１つの端子と、前記基準信号と比較する複数の信号がそれぞれ入力される複数の端子と、前記複数の信号のうちの電圧が最も低い信号と、前記基準信号との差に応じた誤差電圧を出力する誤差増幅回路と、前記複数の信号のオフセットに応じたバイアス電流を生成するバイアス回路と、を備え、前記バイアス電流により前記誤差増幅器における前記複数の信号を補正するようにした。
【００２５】
この構成によれば、バイアス回路により生成するバイアス電流によって誤差増幅器における信号を補正することで、誤差増幅器に入力される複数の信号に発生するオフセットによる誤動作を防止することができるようになる。
【発明の効果】
【００２６】
本発明によれば、回路規模の縮小が可能な電源システム、検出回路及び電源システムを提供することができる。
【発明を実施するための最良の形態】
【００２７】
以下、本発明を具体化した一実施形態を図１〜図５に従って説明する。
図１は、電源システムの概略構成図である。電源システムは、外部電源としてのＡＣアダプタ２１と、そのＡＣアダプタ２１に接続された電子機器３１とから構成されている。ＡＣアダプタ２１は、交流電源ＡＣに接続され、該交流電源ＡＣから供給される商用交流電圧は、ＡＣアダプタ２１の電圧変換回路２２に入力される。電圧変換回路２２は、交流電圧を交流−直流変換して生成した直流電圧を出力する。電圧制御回路２３は、制御電流Ｉscが入力され、該制御電流Ｉscに基づいて、直流電圧から制御したアダプタ電圧ＶACを生成する。このアダプタ電圧ＶACは、電子機器３１に供給される。
【００２８】
アダプタ電圧ＶACは、抵抗Ｒ１を介してシステムＤＣ／ＤＣコンバータ３２に供給される。システムＤＣ／ＤＣコンバータ３２には、抵抗Ｒ２を介して二次電池（バッテリ）ＢＴが接続されている。システムＤＣ／ＤＣコンバータ３２は、アダプタ電圧ＶACとバッテリから供給されるバッテリ電圧とに基づいて、入力電圧を電圧変換して生成したシステム電圧Ｖｓをシステム回路３３に供給する。従って、システム回路３３には、ＡＣアダプタ２１から供給される電力と、バッテリＢＴから供給される電力とのうちの少なくとも一方による電力が供給される。システム回路３３は、電子機器３１の各種機能を提供する回路である。
【００２９】
抵抗Ｒ１及び抵抗Ｒ２はバッテリ検出回路３４に接続されている。バッテリ検出回路３４は、抵抗Ｒ１の両端子に接続されるとともに、抵抗Ｒ２とバッテリＢＴとの間に接続されている。バッテリ検出回路３４は、抵抗Ｒ１の両端子間の電位差に基づいて、該抵抗Ｒ１に流れる電流Ｉｏｕｔを検出する。また、バッテリ検出回路３４は、抵抗Ｒ２の両端子間の電位差に基づいて、該抵抗Ｒ２に流れる電流Ｉｃｈｇを検出する。更に、バッテリ検出回路３４は、システムＤＣ／ＤＣコンバータ３２に供給される電圧（又はアダプタ電圧ＶＡＣ）とバッテリＢＴの端子電圧を検出する。そして、バッテリ検出回路３４は、検出した電流，電圧に基づいて、制御電流Ｉscを生成する。この制御電流Ｉscは、ＡＣアダプタ２１の電圧制御回路２３に供給される。従って、ＡＣアダプタ２１の電圧制御回路２３は、バッテリ検出回路３４から出力される制御電流Ｉscに応じて、アダプタ電圧ＶACを制御する。
【００３０】
次に、ＡＣアダプタ２１の構成例を説明する。図２に示すように、電圧変換回路２２の出力端子は第１トランジスタＴ１１の第１端子（例えばソース）に接続され、第１トランジスタＴ１１の第２端子（例えばドレイン）はチョークコイルＬ１の第１端子に接続され、チョークコイルＬ１の第２端子は第１端子Ｐ１に接続されている。また、第１トランジスタＴ１１の第２端子は第２トランジスタＴ１２の第１端子（例えばドレイン）に接続され、その第２トランジスタＴ１２の第２端子（例えばソース）はグランドに接続されている。第１トランジスタＴ１１の制御端子（ゲート）と第２トランジスタＴ１２の制御端子（ゲート）はパルス幅変調器（ＰＷＭ）２４に接続されている。本実施形態において、第１トランジスタＴ１１はＰチャネルＭＯＳトランジスタであり、第２トランジスタＴ１２はＮチャネルＭＯＳトランジスタである。尚、図には、各トランジスタＴ１１，Ｔ１２のボディダイオードを示している。
【００３１】
上記チョークコイルＬ１の第１端子はダイオードＤ１のカソードに接続され、ダイオードＤ１のアノードはグランドに接続されている。第１端子Ｐ１は平滑用のコンデンサＣ１の第１端子に接続され、コンデンサＣ１の第２端子はグランドに接続されている。第２端子Ｐ２はグランドに接続され、第３端子Ｐ３はパルス幅変調器（ＰＷＭ）２４に接続されている。
【００３２】
パルス幅変調器２４には、第３端子Ｐ３を介して制御電流Ｉscが入力されている。パルス幅変調器（ＰＷＭ）２４は、所定のデューティサイクルにて第１トランジスタＴ１１と第２トランジスタＴ１２とを相補的にオンオフ制御する。第１トランジスタＴ１１のスイッチング動作により、そのトランジスタＴ１１の出力電流は、チョークコイルＬ１及びコンデンサＣ１により平滑される。ここで、第１トランジスタＴ１１のオン時には、電圧変換回路２２の出力電圧が該トランジスタＴ１１を介してＬＣ回路（チョークコイルＬ１とコンデンサＣ１とからなる平滑回路）に供給される。第１トランジスタＴ１１がオフされると、ダイオードＤ１を介して電流経路が形成される。このとき、第１トランジスタＴ１１のオン時にチョークコイルＬ１に蓄積されたエネルギーが第１端子Ｐ１側へ放出される。
【００３３】
更に、パルス幅変調器２４は、制御電流Ｉscに応答してデューティサイクルを変更する。詳しくは、パルス幅変調器２４は、制御電流Ｉscの電流値に応じて第１トランジスタＴ１１をオンする期間を変化させるように、デューティサイクルを変更する。ＡＣアダプタ２１から出力されるアダプタ電圧ＶＡＣは、第１トランジスタＴ１１のオン期間に対応する。第１トランジスタＴ１１のオン期間が長いと、チョークコイルＬ１に蓄積されるエネルギーが多くなって高いアダプタ電圧ＶＡＣが出力され、第１トランジスタＴ１１のオン期間が短いと、チョークコイルＬ１に蓄積されるエネルギーが少なくなって低いアダプタ電圧ＶＡＣが出力される。
【００３４】
従って、ＡＣアダプタ２１は、制御電流Ｉscに応じてアダプタ電圧ＶＡＣを変更する。そして、制御電流Ｉscが供給されていないとき、ＡＣアダプタ２１は、例えば最低電圧のアダプタ電圧ＶＡＣを出力する。この場合、交流電源ＡＣに接続したＡＣアダプタ２１を電子機器３１に接続した場合、制御電流Ｉscが０（ゼロ）であるため、最低電圧のアダプタ電圧ＶＡＣを電子機器３１に供給する。このため、電子機器３１に搭載されたバッテリＢＴに対して大きな突入電流が流れるのを防ぐことができる。
【００３５】
次に、制御電流Ｉscを生成する構成、即ち、電子機器３１に搭載されたバッテリ検出回路３４の構成を説明する。
ＡＣアダプタ２１により生成されたアダプタ電圧ＶＡＣは、電子機器３１の第１端子Ｐ１１に接続された抵抗Ｒ１を介してシステムＤＣ／ＤＣコンバータ３２に供給される。この抵抗Ｒ１には、ＡＣアダプタ２１から供給される電流Ｉout （電子機器３１にとっては入力電流Ｉin）が流れる。また、アダプタ電圧ＶＡＣは、抵抗Ｒ１及び抵抗Ｒ２を介してバッテリＢＴに供給される。この抵抗Ｒ２には、バッテリＢＴに対する充電電流Ｉchg が流れる。
【００３６】
抵抗Ｒ１の両端子はバッテリ検出回路３４の電流増幅器４１の入力端子に接続され、抵抗Ｒ２の両端子は、電流増幅器４２の入力端子に接続されている。電流増幅器４１は、抵抗Ｒ１に流れる電流Ｉout 、つまりＡＣアダプタ２１の出力電流を検出し、その検出結果に応じた電流検出信号Ｓ１を誤差増幅器としてのエラー増幅器４３に出力する。電流増幅器４２は、抵抗Ｒ２に流れる電流Ｉchg 、つまりバッテリＢＴに対する充電電流Ｉchg を検出し、その電流量に応じた充電電流検出信号Ｓ２をエラー増幅器４３に出力する。
【００３７】
エラー増幅器４３は、２つの反転入力端子と１つの非反転入力端子とを有している。エラー増幅器４３は、第１の反転入力端子に電流検出信号Ｓ１が入力され、第２の反転入力端子に充電電流検出信号Ｓ２が入力される。エラー増幅器４３の非反転入力端子には電流基準信号ＩOUTM及び制限電流信号ＩDAC に基づく基準信号が入力されている。電流基準信号ＩOUTMは、電子機器３１において使用される総電流量に応じて設定されており、制限電流信号ＩDAC はバッテリＢＴの充電電流に応じて設定された電圧値に設定されている。エラー増幅器４３は、電流検出信号Ｓ１と充電電流検出信号Ｓ２のうちのいずれか高い方と基準信号とを比較し、その比較結果に応じた誤差電圧を発生する。
【００３８】
抵抗Ｒ２とバッテリＢＴとの間の接続点は、エラー増幅器４４の反転入力端子に接続されている。そのエラー増幅器４４の非反転入力端子には、電圧制限信号ＶDAC が入力される。エラー増幅器４４は、バッテリＢＴの端子電圧と電圧制限信号ＶDAC との差を増幅した誤差電圧を発生する。
【００３９】
上記抵抗Ｒ１の両端子は、乗算器４５に接続されている。乗算器４５は、抵抗Ｒ１の端子電圧、即ちアダプタ電圧ＶＡＣを検出するとともに、抵抗Ｒ１の両端子間電圧により総電流量を検出する。そして、乗算器４５は、アダプタ電圧ＶＡＣと総電流量とを乗算した結果、即ち総電力量に応じた電力検出信号ＰＷＲＯをエラー増幅器４６に出力する。エラー増幅器４６は、反転入力端子に電力検出信号ＰＷＲＯが入力され、非反転入力端子に電力制限信号ＰＷＲＭが入力される。エラー増幅器４６は、電力検出信号ＰＷＲＯと電力制限信号ＰＷＲＭとの差を増幅した誤差電圧を発生する。
【００４０】
つまり、本実施形態のバッテリ検出回路３４は、従来例の充電回路１１（図６参照）と同じ数の検出対象に対する誤差電圧を、３つのエラー増幅器４３，４４，４６により生成している。更に詳しくは、従来例では、抵抗Ｒ１に流れる電流Ｉout と、バッテリＢＴに対する充電電流Ｉchg に対する誤差電圧を２つのエラー増幅器１４ａ，１４ｂにて生成していたが、本実施の形態では１つのエラー増幅器４３により生成している。このため、チップに対する外付け部品の数が少なくなる、即ち外部端子が少なくなるため、チップやそのチップを封止したパッケージのサイズを小さくすることができる。
【００４１】
エラー増幅器４３，４４，４６の出力端子にはダイオードＤ１１，Ｄ１２，Ｄ１３のカソードがそれぞれ接続されている。ダイオードＤ１１〜Ｄ１３のアノードは共通接続されるとともに、電流電圧変換回路４７に接続されている。ダイオードＤ１１〜Ｄ１３は、各エラー増幅器４３，４４，４６の出力電圧のうち、最も大きな電圧に依存した電流（誤差電流）を電流電圧変換回路４７に伝達する。これは、各検出値のうち、最も大きなエラー（誤差）の検出値である。
【００４２】
電流電圧変換回路４７の出力端子には、定電流源を構成するトランジスタＴ２１の制御端子（ゲート）が接続されている。電流電圧変換回路４７は、電流量に比例した電圧値の信号をトランジスタＴ２１のゲートに供給する。このトランジスタＴ２１は、本実施形態ではＰチャネルＭＯＳトランジスタであり、ソースにアダプタ電圧ＶＡＣが供給され、ドレインが第３端子Ｐ１３に接続されている。電子機器３１の第２端子Ｐ１２はグランドに接続されている。
【００４３】
トランジスタＴ２１は、ゲートに供給される電圧に応じた抵抗体として動作し、その抵抗値に応じた制御電流Ｉscを流す。上記したように、トランジスタＴ２１はＰチャネルＭＯＳトランジスタであるため、高いゲート電圧では抵抗値が大きく、低いゲート電圧では抵抗値が小さい。従って、電流電圧変換回路４７の出力電圧が高い、つまり、検出結果においてエラー（誤差）が大きい場合、トランジスタＴ２１は少ない制御電流Ｉscを流し、電流電圧変換回路４７の出力電圧が低い、つまり検出結果においてエラー（誤差）が小さい場合、トランジスタＴ２１は大きな制御電流Ｉscを流すように動作する。
【００４４】
バッテリＢＴが搭載されていない場合、エラー増幅器４４に入力される端子電圧は０（ゼロ）である。また、エラー増幅器４３によって検出される充電電流は０である。従って、エラー（誤差）が大きく、電流電圧変換回路４７の入力電流が大きい。この時、トランジスタＴ２１は少ない制御電流Ｉscを流すため、ＡＣアダプタ２１の電圧制御回路２３は、低いアダプタ電圧ＶＡＣを出力する。この状態でバッテリＢＴを装着した場合、バッテリＢＴの端子電圧と、ＡＣアダプタ２１から供給されるアダプタ電圧ＶＡＣとの差が少なくなり、バッテリＢＴに対する突入電流が抑制される。
【００４５】
上記のように構成された電源システムにおいて、動作停止時等のように動作電源電圧が低下した場合、バッテリ検出回路３４は、制御電流Ｉscを少なくするように動作するため、ＡＣアダプタ２１は低いアダプタ電圧ＶＡＣを発生させる。従って、バッテリ検出回路３４において、動作的に電源電圧に余裕が生まれ、動作条件を緩和する。更に、ＡＣアダプタ２１は低いアダプタ電圧ＶＡＣを供給するため、低い入力電圧において電子機器３１が動作を停止することになり、低電圧時に高いアダプタ電圧ＶＡＣが供給されて回路に損傷を起こすことを防ぐことができる。
【００４６】
次に、エラー増幅器４３に係る構成を説明する。
上記におけるエラー増幅器４３に係る説明は、図２に従って、原理的な動作の説明である。実回路では、図３に示すように、複数の回路が必要となる。これらの回路は、２つの基準信号である電流基準信号ＩOUTM及び制限電流信号ＩDAC に対して１つのエラー増幅器４３にて誤差電圧を生成するために必要である。また、これらの回路は、従来例におけるエラー増幅器１４ａ，１４ｂを、本実施形態のエラー増幅器４３に単純に置き換える場合に必要とする。
【００４７】
詳述すると、電流増幅器４１の出力信号Ｓ１はレベルシフト回路５１に入力される。レベルシフト回路５１は、入力信号レベルを、電流増幅器４２の出力信号Ｓ２の変動範囲に対応したレベルに変換し、その変換後の信号Ｓ１１を加減算器５２に出力する。レベルシフト回路５３は、電流基準信号ＩOUTMのレベルを変換した信号Ｓ１２を出力する。同様に、レベルシフト回路５４は、制限電流信号ＩDAC のレベルを変換した信号Ｓ１３を出力する。尚、レベルシフト回路５３，５４は、レベルシフト回路５１と同様に、入力信号を電流増幅器４２の出力信号Ｓ２の変動範囲に対応したレベルに変換する。
【００４８】
減算器５５の入力端子Ａにはレベルシフト回路５４から出力される信号Ｓ１３が入力され、入力端子Ｂにはレベルシフト回路５３から出力される信号Ｓ１２が入力される。減算器５６の入力端子Ａにはレベルシフト回路５３から出力される信号Ｓ１２が入力され、入力端子Ｂにはレベルシフト回路５４から出力される信号Ｓ１３が入力される。
【００４９】
減算器５５，５６は、入力端子Ａの信号レベルから入力端子Ｂの信号レベルを減算した値を持つ信号Ｓ１４，Ｓ１５を出力する。両減算器５５，５６の入力端子Ａ，Ｂには、信号Ｓ１２，Ｓ１３が交差するように入力されている。従って、減算器５５，５６から出力される信号Ｓ１４，Ｓ１５は、絶対値が同じであり、符号が逆の信号となる。
【００５０】
加減算器５２は、複数の入力端子Ａ，Ｂ，Ｃを持ち、各入力端子Ａ〜Ｃの信号レベルを加減算した結果の値を持つ信号Ｓ１６を出力する。本実施形態では、加減算器５２は、入力端子Ａの信号レベルに入力端子Ｂの信号レベルを加算し、入力端子Ｃの信号レベルを減算した値（＝Ａ＋Ｂ−Ｃ）を持つ信号Ｓ１６を出力する。
【００５１】
加減算器５２の出力信号Ｓ１６はエラー増幅器４３の反転入力端子に入力される。エラー増幅器４３の反転入力端子には、電流増幅器４２から出力される信号Ｓ２が入力される。そして、エラー増幅器４３の非反転入力端子には、レベルシフト回路５４から出力される信号Ｓ１３が、基準信号Ｖref として入力される。エラー増幅器４３は、信号Ｓ２と信号Ｓ１６のうちの何れか高いレベルの信号と基準信号Ｖref のレベルとを比較し、その比較結果に応じた誤差電圧を出力する。
【００５２】
次に、エラー増幅器４３の構成を説明する。
図４は、エラー増幅器の回路構成例を示す回路図である。エラー増幅器４３は、バイアス回路（bias circuit）４３ａと、誤差増幅回路（error Amp ）４３ｂとから構成されている。バイアス回路４３ａは、エラー増幅器４３においけるオフセット電圧による誤動作を防止するために設けられている。本実施形態のエラー増幅器４３は、２つの反転入力端子を有しており、これら端子から入力される信号にそれぞれオフセット電圧が発生する。このため、バイアス回路４３ａは、２つの入力信号に基づいて、誤差増幅回路４３ｂの差動入力における電流を補正するようにしている。誤差増幅回路４３ｂは、２つの反転入力端子に供給される信号の内、電圧が低い方の信号と基準信号との差に応じた信号を出力する。
【００５３】
反転入力端子Ｐ２１，Ｐ２２は、バイアス回路４３ａの差動増幅部を構成する一対のＰＮＰトランジスタＱ１，Ｑ２のベースに接続されている。トランジスタＱ１，Ｑ２のエミッタが互いに接続されるとともに定電流源６１に接続され、その定電流源６１は高電位電源Ｖｄｄに接続されている。トランジスタＱ１，Ｑ２のコレクタはそれぞれＮＰＮトランジスタＱ３，Ｑ４のコレクタに接続され、両トランジスタＱ３，Ｑ４のエミッタはグランドに接続されている。
【００５４】
上記反転入力端子Ｐ２１，Ｐ２２はそれぞれ差動増幅回路６２の非反転入力端子と反転入力端子に接続されている。差動増幅回路６２の出力信号はＮＰＮトランジスタＱ５のベースに供給され、差動増幅回路６２の反転出力信号はＮＰＮトランジスタＱ６のベースに供給されている。両トランジスタＱ５，Ｑ６のエミッタはグランドに接続されている。トランジスタＱ５のコレクタは上記トランジスタＱ４のベースに接続され、トランジスタＱ６のコレクタは上記トランジスタＱ３のベースに接続されている。
【００５５】
トランジスタＱ３のベースは同トランジスタＱ３のコレクタに接続されるとともに、ＮＰＮトランジスタＱ７のベースに接続されている。トランジスタＱ７のエミッタはグランドに接続され、トランジスタＱ７のコレクタはトランジスタＱ８のコレクタに接続されている。
【００５６】
トランジスタＱ４のベースは同トランジスタＱ４のコレクタに接続されるとともに、ＮＰＮトランジスタＱ８のベースに接続されている。トランジスタＱ８のエミッタはグランドに接続され、トランジスタＱ８のコレクタはＰＮＰトランジスタＱ９のコレクタに接続されている。
【００５７】
トランジスタＱ９のベースは同トランジスタＱ９のコレクタに接続されるとともにトランジスタＱ１０のベースに接続されている。トランジスタＱ９，Ｑ１０のエミッタは高電位電源Ｖｄｄに接続されている。
【００５８】
トランジスタＱ１０には並列に定電流源６３が接続されている。トランジスタＱ１０のコレクタは一対のＰＮＰトランジスタＱ１１，Ｑ１２のエミッタに接続されるとともに、誤差増幅回路４３ｂの差動増幅部を構成する１つのＰＮＰトランジスタＱ１３のベースに接続されている。トランジスタＱ１１のベースは反転入力端子Ｐ２２に接続され、トランジスタＱ１２のベースは反転入力端子Ｐ２１に接続されている。トランジスタＱ１１，Ｑ１２のコレクタはグランドに接続されている。
【００５９】
トランジスタＱ１３のエミッタは差動入力を構成する１つのＰＮＰトランジスタＱ１４のエミッタに接続され、両トランジスタＱ１３，Ｑ１４の接続点は定電流源６４に接続されている。両トランジスタＱ１３，Ｑ１４のコレクタは、カレントミラーを構成する一対のＮＰＮトランジスタＱ１５，Ｑ１６のコレクタに接続され、両トランジスタＱ１５，Ｑ１６のエミッタはグランドに接続されている。トランジスタＱ１５のベースは同トランジスタＱ１５のコレクタに接続されるとともに、トランジスタＱ１６のベースに接続されている。そして、トランジスタＱ１６のコレクタから、誤差電圧が出力される。
【００６０】
トランジスタＱ１４のベースは定電流源６５に接続されるとともに、ＰＮＰトランジスタＱ１７のエミッタに接続されている。トランジスタＱ１７のベースには基準信号Ｖref が供給され、トランジスタＱ１７のコレクタはグランドに接続されている。
【００６１】
上記のように構成されたバイアス回路４３ａにおいて、トランジスタＱ１，Ｑ２のコレクタ電流は、２つの入力端子に供給される信号の電圧に応じて、相補的に変化する。入力端子Ｐ２１の端子電圧に対するトランジスタＱ１のコレクタ電流の変化を図５（ａ）に示し、入力端子Ｐ２２の端子電圧に対するトランジスタＱ２のコレクタ電流の変化を図５（ｂ）に示す。
【００６２】
トランジスタＱ３，Ｑ７はカレントミラー回路を構成し、トランジスタＱ３に流れる電流（＝トランジスタＱ１のコレクタ電流）と等しい電流がトランジスタＱ７に流れる。同様に、トランジスタＱ４，Ｑ８はカレントミラー回路を構成し、トランジスタＱ４に流れる電流（＝トランジスタＱ２のコレクタ電流）と等しい電流がトランジスタＱ８に流れる。
【００６３】
トランジスタＱ５，Ｑ６はスイッチとして動作し、２つの入力端子に供給される信号のレベルに応じて相補的にオンオフする。例えばトランジスタＱ５がオンし、トランジスタＱ６がオフした場合、オンしたトランジスタＱ５はトランジスタＱ４，Ｑ８のベースをグランドに接続する。その結果、トランジスタＱ９には、トランジスタＱ７に流れる電流、即ちトランジスタＱ１のコレクタ電流と等しい電流が流れる。同様に、トランジスタＱ６がオン（トランジスタＱ５がオフ）した場合、トランジスタＱ９にはトランジスタＱ８に流れる電流、即ちトランジスタＱ２のコレクタ電流と等しい電流が流れる。
【００６４】
トランジスタＱ９とトランジスタＱ１０はカレントミラー回路を構成し、トランジスタＱ９に流れる電流と等しい電流がトランジスタＱ１０に流れる。その結果、トランジスタＱ１０のコレクタ電流は、図５（ｃ）に示すように、両入力端子における端子電圧の差電圧に対して、両端子に供給される信号に発生するオフセット電圧に応じたバイアス電流が流れる。この電流を、定電流源６３がトランジスタＱ１１，Ｑ１２に流す電流に加えることで、オフセット電圧をキャンセルすることができる。
【００６５】
以上記述したように、本実施形態によれば、以下の効果を奏する。
（１）バッテリ検出回路３４は抵抗Ｒ１の両端子の電圧が入力される電流増幅器４１と、抵抗Ｒ２の両端子の電圧が入力される電流増幅器４２とを有する。電流増幅器４１は、抵抗Ｒ１に流れる電流Ｉout 、つまりＡＣアダプタ２１の出力電流を検出し、その検出結果に応じた電流検出信号Ｓ１をエラー増幅器４３に出力する。電流増幅器４２は、抵抗Ｒ２に流れる電流Ｉchg 、つまりバッテリＢＴに対する充電電流Ｉchg を検出し、その電流量に応じた充電電流検出信号Ｓ２をエラー増幅器４３に出力する。
【００６６】
エラー増幅器４３は、２つの反転入力端子と１つの非反転入力端子とを有している。エラー増幅器４３は、第１の反転入力端子に電流検出信号Ｓ１が入力され、第２の反転入力端子に充電電流検出信号Ｓ２が入力される。エラー増幅器４３の非反転入力端子には電流基準信号ＩOUTM及び制限電流信号ＩDAC に基づく基準信号が入力されている。電流基準信号ＩOUTMは、電子機器３１において使用される総電流量に応じて設定されており、制限電流信号ＩDAC はバッテリＢＴの充電電流に応じて設定された電圧値に設定されている。エラー増幅器４３は、電流検出信号Ｓ１と充電電流検出信号Ｓ２のうちのいずれか高い方と基準信号とを比較し、その比較結果に応じた誤差電圧を発生する。その結果、チップに対する外付け部品の数が少なくなる、即ち外部端子が少なくなるため、チップやそのチップを封止したパッケージのサイズを小さくすることができる。
【００６７】
（２）エラー増幅器４３は、バイアス回路４３ａと、誤差増幅回路４３ｂとから構成されている。２つの入力信号に基づいて、誤差増幅回路４３ｂの差動入力における電流を補正する。その結果、エラー増幅器４３においけるオフセット電圧による誤動作を防止することができる。
【００６８】
（３）ＡＣアダプタ２１は、制御電流Ｉscに応じてアダプタ電圧ＶＡＣを変更する。そして、制御電流Ｉscが供給されていないとき、ＡＣアダプタ２１は、最低電圧のアダプタ電圧ＶＡＣを出力する。このため、交流電源ＡＣに接続したＡＣアダプタ２１を電子機器３１に接続した場合、制御電流Ｉscが０（ゼロ）であるため、最低電圧のアダプタ電圧ＶＡＣを電子機器３１に供給する。このため、電子機器３１に搭載されたバッテリＢＴに対して大きな突入電流が流れるのを防ぐことができる。
【００６９】
（４）バッテリＢＴが搭載されていない場合、エラー増幅器４４に入力される端子電圧は０（ゼロ）である。また、エラー増幅器４３によって検出される充電電流は０である。従って、エラー（誤差）が大きく、電流電圧変換回路４７の入力電流が大きい。この時、トランジスタＴ２１は少ない制御電流Ｉscを流すため、ＡＣアダプタ２１の電圧制御回路２３は、低いアダプタ電圧ＶＡＣを出力する。この状態で、バッテリＢＴを装着した場合、バッテリＢＴの端子電圧と、ＡＣアダプタ２１から供給されるアダプタ電圧ＶＡＣとの差が少なくなり、バッテリＢＴに対する突入電流を抑制することができる。
【００７０】
（５）動作停止時等のように動作電源電圧が低下した場合、バッテリ検出回路３４は、制御電流Ｉscを少なくするように動作するため、ＡＣアダプタ２１は低いアダプタ電圧ＶＡＣを発生させる。従って、バッテリ検出回路３４において、動作的に電源電圧に余裕が生まれ、動作条件を緩和する。更に、ＡＣアダプタ２１は低いアダプタ電圧ＶＡＣを供給するため、低い入力電圧において電子機器３１が動作を停止することになり、低電圧時に高いアダプタ電圧ＶＡＣが供給されて回路に損傷を起こすことを防ぐことができる。
【００７１】
尚、上記実施の形態は、以下の態様で実施してもよい。
・上記実施の形態では、２つの入力信号と基準電圧とを比較して誤差電圧を出力するエラー増幅器４３に具体化したが、３つ以上の入力信号と基準信号とを比較して誤差電圧を出力するエラー増幅器に具体化してもよい。また、端子の反転・非反転は、適宜変更されてもよい。
【００７２】
・上記実施の形態では、電子機器３１のバッテリ検出回路３４からＡＣアダプタ２１に制御電流Ｉscを供給し、ＡＣアダプタ２１の電圧制御回路２３は、制御電流Ｉscがゼロの場合にアダプタ電圧ＶＡＣを最低電圧とするようにしたが、バッテリ検出回路において、ＡＣアダプタから制御電流Ｉscを流し込むようにしてもよい。
【００７３】
・上記各実施の形態において、図２に示すバッテリ検出回路３４は、抵抗Ｒ１の出力側端子における電圧（出力電圧）を検出するようにしたが、これを省略してもよい。つまり、乗算器４５とエラー増幅器４６とダイオードＤ１３を省略したバッテリ検出回路に具体化してもよい。
【００７４】
・上記各実施の形態では、制御電流Ｉscに対してアダプタ電圧ＶＡＣを比例的に制御するようにしたが、制御電流Ｉscとアダプタ電圧ＶＡＣとの関係は、適宜変更されてもよい。
【００７５】
・上記各実施の形態では、制御信号に制御電流を用いていたが、電流電圧変換回路４７の出力電圧を制御信号として用いてもよい。
・上記各実施の形態において、ＡＣアダプタと電子機器の回路構成は、上記各実施の形態に限定されない。例えば、従来例と同様に、パルス幅変調器２４及び該パルス幅変調器２４が制御する素子と、バッテリ検出回路３４とを１つのチップ上に搭載した半導体集積回路装置に具体化してもよい。
【図面の簡単な説明】
【００７６】
【図１】一実施形態の電源システムのブロック図である。
【図２】一実施形態の電源システムの回路図である。
【図３】バッテリ検出回路の一部回路図である。
【図４】エラー増幅器の一例を示す回路図である。
【図５】（ａ）〜（ｃ）はエラー増幅器の動作特性図である。
【図６】従来の電源システムの回路図である。
【符号の説明】
【００７７】
２１  ＡＣアダプタ
３１  電子機器
３３  システム回路
３４  バッテリ検出回路
４１，４２  電流増幅器
４３  エラー増幅器
４３ａ  バイアス回路
４３ｂ  誤差増幅回路
５１，５３，５４  レベルシフト回路
５２  加減算器
５５，５６  減算器
ＢＴ  二次電池
Ｉout   出力電流（入力電流）
Ｉchg   充電電流
Ｒ１，Ｒ２  抵抗
【図１】
2008206225.tif 000003
【図２】
2008206225.tif 000004
【図３】
2008206225.tif 000005
【図４】
2008206225.tif 000006
【図５】
2008206225.tif 000007
【図６】
2008206225.tif 000008